(57)【要約】【課題】ログハウスを完成品の状態で、迅速に吊上、運搬、据付、設置をするもの。【解決手段】壁部材の端面に補強部材を被覆して、該補強部材にログハウス吊り上げ用の通しボルトを設けて、この通しボルトにクレーン等の吊り上げ部材を連繋してログハウスを完成品の状態で、吊り上げることができるようにしたログハウスの補強構造。【選択図】図１
2012246743.tif 000002
【特許請求の範囲】
【請求項１】
ログハウスの壁部材を構成するのに、横長の柱状木材を複数段に積層して形成される壁部材の端面を、縦長方向に断面凹字形状の補強部材で被覆する形態にして該補強部材で複数段の柱状木材を一体的に連結補強する壁部材ユニットに構成すると共に、ログハウスの各隅部に立設する柱部材の壁取付面に、縦方向の凹溝部を形成し、該凹溝部に前記壁部材ユニットの補強部材を差し込み位置させて、かつ該補強部材を柱部材に連結ボルトで一体的に固定して壁部材ユニットを柱部材に取り付けるように構成し、更に、前記補強部材の上下に上部の横桁と下部の基礎部材への通しボルトを着脱自在に取り付けるようにして、該上下の通しボルトで補強部材を介して壁部材ユニットを一体的に固定するように構成してログハウスを完成させるように構成し、完成したログハウスを吊り上げる時には、通しボルトと吊り上げ部材を連繋するようにして、ログハウスを吊り上げ可能に構成したことを特徴とするログハウス。
【請求項２】
横桁の上部に突出する通しボルトに吊り部材を係止させ、該吊り部材にクレーン等の吊り上げ部材を係合して、通しボルトと吊り上げ部材を連繋するようにして、ログハウスを吊り上げ可能に構成したことを特徴とする請求項１に記載のログハウス。
【請求項３】
前記横桁の上部に突出する通しボルトの上方に位置する屋根部材に開閉自在の蓋部材を設けた開口部を設け、該蓋部材を開口した開口状態の開口部を介してクレーン等の吊り上げ部材を通しボルトに係合するようにしたことを特徴とする請求項１、２に記載のログハウス。
【請求項４】
屋根部材の端部下方に位置する横桁の前後方向端部に、延長桁部材を重合位置させて横桁に着脱可能に一体的に固定させ、屋根部材の端部からはみ出して、前後方向に突出する形態に延長桁部材を位置させて、屋根部材より外方に突出した延長桁部材の端部にクレーン等の吊り上げ部材を巻き掛けることにより、通しボルトと吊り上げ部材を連繋するようにして、ログハウスを吊り上げ可能に構成したことを特徴とする請求項１に記載のログハウス。
【発明の詳細な説明】
【技術分野】
【０００１】  本発明は柱状の木材を組み合わせて建築するログハウスを完成品の状態でクレーン等により吊り上げ移動でき、運搬車両への積載、目的地への運搬、据え付け・設置を迅速にできることが可能な強固な構造のログハウスに関するものである。
【背景技術】
【０００２】  従来柱状木材の組み合わせのみによって壁を含む木造家壁を造るログハウスでは、例えば丸太材の周面の一部を、隣接する丸太材の周面と適合し又は嵌合し合うように、円弧状の凹部を形成して壁部として積み重ねるものや、さらにこれを予め所定径の柱状丸太に切削形成しているもの、或いは丸太の隣接し合う周面を角型断面の凹凸に形成して該凹凸を重ね合わせる構造のものが知られている。また同様に柱状角材の断面の一辺を互いに凹凸に形成してこれを重ね合わせることにより一体的な壁構造を形成する方法も知られている。これらは、木材を横向きに積み上げてそれぞれのログ部材をダボを打ち込んで連結するか、通しボルトで固定する方法であり、その工法ゆえに、部材の運搬が、現地での手作り施工が主流となり、価格的にも、工場で完成までの作業をすべて行う場合と比較するとかなり高価なログハウスになり、使用目的もセカンドハウスか営業用施設が一般的である。このように、柱状木材を積層して壁材や仕切材を製作するようにしていたが、一般的に特許文献１に見られるように木質材同士の食い込みによる嵌め合いで積層する構造にされているだけのものが多く、これらを完成品の状態でクレーン等により吊り上げ移動ができなく、運搬車両への積載、目的地への運搬、据え付け・設置を迅速にすることはできないものであった。
【先行技術文献】
【特許文献】
【０００３】
【特許文献１】特許第３７３４０７９号公報
【発明の概要】
【発明が解決しようとする課題】
【０００４】  上記の特許文献１に例示されるなど、従来柱状木材の組み合わせのみによって壁を含む木造家壁を造るログハウスは、木質材同士の食い込みによる嵌め合いで積層する構造にされているだけのものが多く、これらを完成品の状態でクレーン等による吊り上げ移動ができなく、運搬車両への積載、目的地への運搬、据え付け・設置を迅速にすることはできないものであった。これらの課題を解決するために本発明は、木材の間伐材利用を促進するためにも、従来の工法によるログハウスでは限られている利用目的を、工場にて完成させたログハウスをクレーン等により吊り上げ、完成品の状態で運搬車両に積載し、目的地への運搬、現地での据え付け、設置を容易に可能にすることにより、ログハウスを安価に提供してその活用を大幅に促進することである。
【課題を解決するための手段】
【０００５】  本発明は上記の課題を解決するもので、まず第一に、ログハウスの壁部材を構成するのに、横長の柱状木材を複数段に積層して形成される壁部材の端面を、縦長方向に断面凹字形状の補強部材で被覆する形態にして該補強部材で複数段の柱状木材を一体的に連結補強する壁部材ユニットに構成すると共に、ログハウスの各隅部に立設する柱部材の壁取付面に、縦方向の凹溝部を形成し、該凹溝部に前記壁部材ユニットの補強部材を差し込み位置させて、かつ該補強部材を柱部材に連結ボルトで一体的に固定して壁部材ユニットを柱部材に取り付けるように構成し、更に、前記補強部材の上下に上部の横桁と下部の基礎部材への通しボルトを着脱自在に取り付けるようにして、該上下の通しボルトで補強部材を介して壁部材ユニットを一体的に固定するように構成してログハウスを完成させるように構成し、完成したログハウスを吊り上げる時には、通しボルトと吊り上げ部材を連繋するようにして、ログハウスを吊り上げ可能に構成したことを特徴とするログハウスにしたものである。
第二に、横桁の上部に突出する通しボルトに吊り部材を係止させ、該吊り部材にクレーン等の吊り上げ部材を係合して、通しボルトと吊り上げ部材を連繋するようにして、ログハウスを吊り上げ可能に構成したことを特徴とするログハウスにしたものである。
第三に、前記横桁の上部に突出する通しボルトの上方に位置する屋根部材に開閉自在の蓋部材を設けた開口部を設け、該蓋部材を開口した開口状態の開口部を介してクレーン等の吊り上げ部材を通しボルトに係合するようにしたことを特徴とするログハウスにしたものである。
第四に、屋根部材の端部下方に位置する横桁の前後方向端部に、延長桁部材を重合位置させて横桁に着脱可能に一体的に固定させ、屋根部材の端部からはみ出して、前後方向に突出する形態に延長桁部材を位置させて、屋根部材より外方に突出した延長桁部材の端部にクレーン等の吊り上げ部材を巻き掛けることにより、通しボルトと吊り上げ部材を連繋するようにして、ログハウスを吊り上げ可能に構成したことを特徴とするログハウスにしたものである。
【発明の効果】
【０００６】  上記構成により、第一に、横長の柱状木材４Ａを複数段に積層して形成される壁部材の端面を締め付けビス４Ｃで一体的に設けられる補強部材４Ｂで補強することにより壁部材の強度を増して、かつ柱部材２への取り付けを簡便にして、しかも柱部材の凹溝部に差し込むことにより、更に強度アップを図る構成にしている。そして、強度アップに寄与している補強部材４Ｂを有効に活用して上方の通しボルト４Ｇを設け、この通しボルトにクレーン等の吊り上げ部材Ｒを連繋させるようにすることで、ログハウスＲＨを完成品の状態でクレーン等により吊り上げ移動でき、運搬車両への積載、目的地への運搬、据え付け・設置を迅速にできる効果を奏するものである。
また、第二に、補強部材で一体的に構成した壁部材ユニットを柱部材に強固に取り付けると共に、該補強部材を利用した通しボルトに吊り上げ部材を連繋係合することにより完成した状態のログハウスを吊り上げることができて、完成品の状態で運搬車両に積載し、目的地への運搬据え付けを可能にできる効果を奏するものである。
さらに、第三に、屋根部材の蓋部材を開閉する作業により、通しボルトを利用した吊り上げができる仕組みとなるので、ログハウスを完成品の状態で運搬車両に積載し、目的地への運搬据え付けを更に迅速にすることが可能にできる効果を奏するものである。
第四には、横桁に延長桁部材を着脱自在に重合して装着することにより、この延長桁部材を利用して補強部材を利用した通しボルトに吊り上げ部材を連繋係合することにより、完成した状態のログハウスを吊り上げることができて完成品の状態で運搬車両に積載し、目的地への運搬据え付けを可能にできる効果を奏するものである。
【図面の簡単な説明】
【０００７】
【図１】本発明に係るログハウスの組み付け状態を示す概略分解斜視図である。
【図２】柱部材と壁部材ユニットの連結を示す要部の平断面図である。
【図３】前後壁部材ユニットの構成を示す概略分解斜視図である。
【図４】左右横壁部材ユニットの構成を示す概略分解斜視図である。
【図５】上部の通しボルトに吊り部材を取り付ける説明図である。
【図６】屋根部材の開口部を通してログハウス吊り上げる作用説明斜視図である。
【図７】屋根部材の開口部を通してログハウス吊り上げる作用説明側断面図である。
【発明を実施するための形態】
【０００８】  本発明の実施形態を図面に基づいて説明する。図１は、間伐材などを利用した木質部材からなるログハウスＲＨの組み付け状態を示す概略分解斜視図であり、基礎部材１の四隅に柱部材２が縦方向に立設されていて、該柱部材２の壁取付面には、ほぞ加工による欠ぎ込みを施した縦方向の凹溝部２Ａが形成されている。そして、ログハウスＲＨの壁部材を構成するのに、横長の柱状木材３Ａを各々が一般的なログハウス構成により上下が嵌合結合するようにして複数段に積層して形成される壁部材の端面を、縦長方向に断面凹字形状の補強部材３Ｂで被覆する形態にして該補強部材３Ｂで複数段の柱状木材３Ａを締め付けビス３Ｃで一体的に連結補助して補強することにより端面を補強部材３Ｂで保護した前後壁部材ユニット３と、横長の柱状木材４Ａを各々が一般的なログハウス構成により上下が嵌合結合するようにして複数段に積層して形成される壁部材の端面を、縦長方向に断面凹字形状の補強部材４Ｂで被覆する形態にして該補強部材４Ｂで複数段の柱状木材４Ａを締め付けビス４Ｃで一体的に連結補助して補強することにより端面を補強部材４Ｂで保護し、かつ上部に横桁部材４Ｄを取り付けた左右横壁部材ユニット４とで構成される。
そして、これら前後壁部材ユニット３、３の補強部材３Ｂ、３Ｂと、左右横壁部材ユニット４、４の補強部材４Ｂ、４Ｂを、四隅の柱部材２、２、２、２に形成されている、縦方向の各凹溝部２Ａに、図１の下向き矢印に示す方向の上方より下方に向かって差し込むことにより、ログハウスＲＨの柱部材２に、前後壁部材ユニット３、３と、左右横壁部材ユニット４、４を取り付けることができて、屋根部材を除くログハウスＲＨの大部分を完成させることが容易にできる。
【０００９】  図２は、柱部材２と壁部材ユニット３、４の連結を示す要部の平断面図が示されており、各補強部材３Ｂ、４Ｂに柱部材２を貫通する通しボルト５、５の基端部を、各補強部材３Ｂ、４Ｂに予め溶接固定されたナット５Ａ、５Ａにねじ込み固定し、該通しボルト５、５の柱部材から突出する先端部に締め付けナット５Ｂ、５Ｂをねじ込み柱部材２と壁部材ユニット３、４を補強部材３Ｂ、４Ｂを介して連結するものである。
図３は、前後壁部材ユニット３の構成を示すもので、この例では窓Ｍ付きの形態を示している。窓Ｍの小口には、短尺の補強部材ＭＡが嵌められて締め付けビスＭＢで取り付けられている。そして、横長の柱状木材３Ａを各々が一般的なログハウス構成により上下が嵌合結合するようにして複数段に積層して形成される壁部材の端面に設けられる補強部材３Ｂの下方に基礎部材１を貫通する基礎ボルト３Ｄが取り付けられ、この基礎ボルト３Ｄを基礎部材１の下方からナット３Ｅ締めすることで前後壁部材ユニット３を基礎部材１に取り付け固定できるようになっている。
図４は、左右横壁部材ユニット４の構成を示すもので、この例では窓Ｍ付きの形態を示している。窓Ｍの小口には、短尺の補強部材ＭＡが嵌められて締め付けビスＭＢで取り付けられている。そして、横長の柱状木材４Ａを各々が一般的なログハウス構成により上下が嵌合結合するようにして複数段に積層して形成される壁部材の端面に設けられる補強部材４Ｂの下方に基礎部材１の通し孔１Ａを貫通する基礎ボルト４Ｅが取り付けられ、この基礎ボルト４Ｅを基礎部材１の下方からナット４Ｆ締めすることで左右横壁部材ユニット４を基礎部材１に取り付け固定できるようになっている。また、補強部材４Ｂの上方に横桁４Ｄの通し孔４ＤＡを貫通する通しボルト４Ｇが取り付けられ、この基礎ボルト４Ｇを横桁４Ｄの上方からナット４Ｈ締めすることで左右横壁部材ユニット４の上方に横桁４Ｄを一体的に取り付け固定できるようになっている。
【００１０】  図５は、上部の通しボルト４Ｇに吊り部材Ｔを取り付ける説明図である。
横長の柱状木材４Ａを複数段に積層して形成される壁部材の端面を締め付けビス４Ｃで一体的に設けられる補強部材４Ｂの上方に横桁４Ｄの通し孔４ＤＡを貫通する通しボルト４Ｇが取り付けられ、この基礎ボルト４Ｇを横桁４Ｄの上方からナット４Ｈ締めすることで左右横壁部材ユニット４の上方に横桁４Ｄを一体的に取り付け固定できるようになっているもので、通しボルト４Ｇはその下端を補強部材４Ｂに直接溶接しても良く、また、図５のようにクレーン等の吊り上げ部材Ｒ溶接固定したナット４Ｎにねじ込み固定しても良い。通しボルト４Ｇを溶接すると溶接の影響を受ける恐れがあるが補強部材４Ｂに溶接固定したナット４Ｎにねじ込み固定すれば、通しボルト４Ｇが保有するボルト本来の強度を保てる利点がある。
この通しボルト４Ｇの先端部に吊り部材Ｔを螺着する。該吊り部材Ｔは、その下端にナット部ＴＮが形成され、上端に環状部ＴＨが設けられており、ナット部ＴＮを通しボルト４Ｇの先端部にねじ込むことにより吊り部材Ｔを螺着することができ、環状部ＴＨにワイヤーロープや布ロープ部材などからなるクレーン等の吊り上げ部材Ｒを係合するようにすることができる。
横桁４Ｄの上部に突出する四本の通しボルト４Ｇの上方に位置する屋根部材６には、スライドレール６Ｃに沿って開閉自在にされる蓋部材６Ｂを設けた開口部６Ａをそれぞれに設け、該蓋部材６Ｂを開放位置に開口した開口状態で、開口部６Ａを介してクレーン等の吊り上げ部材Ｒを下方に通して、四本の吊り部材Ｔにそれぞれに引っ掛けて通しボルト４Ｇに係合するようにして、クレーン等の吊り上げ部材ＲでログハウスＲＨ全体を持ち上げることができる。
【００１１】  図６、および図７は、屋根部材６の開口部６Ａを通してログハウスＲＨ全体を吊り上げる作用説明図である。屋根部材６の開口部６Ａは、蓋部材６Ｂの下降スライド操作により開口され、上昇復帰のスライド操作により閉鎖されるもので、これらの開閉操作は人為的にワンタッチ操作されるので便利である。
なお、図６、図７に示すように屋根部材６端部下方に位置する横桁４Ｄの前後方向端部に、延長桁部材Ｚを重合位置させて横桁４Ｄに着脱可能な状態にロープＰ等で縛り付けて一体的に固定させ、屋根部材の端部からはみ出して、前後方向に突出する形態に延長桁部材Ｚを位置させて、屋根部材６より外方に突出した延長桁部材Ｚの端部にクレーン等の吊り上げ部材Ｒを巻き掛けることにより、完成した状態のログハウスＲＨを吊り上げることができる。この場合には、通しボルト４Ｇは、横桁４Ｄを介してクレーン等の吊り上げ部材Ｒに連繋されることになる。ログハウスＲＨを完成品の状態でクレーン等により吊り上げ移動し、運搬車両への積載、目的地への運搬、据え付け・設置した後では、延長桁部材Ｚを横桁４Ｄから取り外すものである。
【００１２】  このように、横長の柱状木材４Ａを複数段に積層して形成される壁部材の端面を締め付けビス４Ｃで一体的に設けられる補強部材４Ｂで補強することにより壁部材の強度を増して、かつ柱部材２への取り付けを簡便にして、しかも柱部材の凹溝部に差し込むことにより、更に強度アップを図る補強構造に構成にしている。そして、強度アップに寄与している補強部材４Ｂを有効に活用して上方の通しボルト４Ｇを設け、この通しボルトにクレーン等の吊り上げ部材Ｒを連繋させるようにすることで、前後壁部材ユニット３や、左右横壁部材ユニット４に吊り上げ時の荷重負担が掛からないようにして基礎部材１から全体を持ち上げる形態にして、ログハウスＲＨを完成品の状態でクレーン等により吊り上げ移動でき、運搬車両への積載、目的地への運搬、据え付け・設置を迅速にすることができるものである。したがって、一旦設置したログハウスＲＨの移動、運搬、据付も迅速にできるので震災地対応の緊急用仮設住宅施設としても、コスト安価に便利に提供できるものである。
【産業上の利用可能性】
【００１３】  従来のログハウスは、現地での組み立て工数などに手間が掛かり、一般的に高価格のものが多くて使用目的も設置固定されるセカンドハウスか営業用施設などに限られる傾向にあったが、本発明によれば、工場で効率的に量産したログハウスを完成品の状態で所望現地に運搬提供できるので、トータル的にコスト安価に提供することが可能となり、工事の状況により頻繁に設置移動が求められる工事用現場事務所施設や、低価格を求められる一般的な住宅の離れ家、受験勉強室、物置などに利用でき、更には震災地対応の緊急用仮設住宅施設としても大いに利用が可能である。また、本発明の工法は単に運搬車両に積載する大きさのログハウスのみでなく、柱の数を増やして壁を組み合わせて施工することによりどんな大きさにも対応でき、建築原価を下げることにも貢献する。
【符号の説明】
【００１４】ＲＨ  ログハウス
１  基礎部材
２  下側殻部材
３  前後壁部材ユニット
４  左右横壁部材ユニット
５  通しボルト
６  屋根部材
【図１】
2012246743.tif 000003
【図２】
2012246743.tif 000004
【図３】
2012246743.tif 000005
【図４】
2012246743.tif 000006
【図５】
2012246743.tif 000007
【図６】
2012246743.tif 000008
【図７】
2012246743.tif 000009